(57)【要約】【課題】信号接続用接触導体が相手方コネクタにおける信号用導体に適正かつ確実に接触接続された状態を安定に維持することができ、しかも、装置全体の厚み寸法をできるだけ小とする低背化を図ることができる同軸コネクタ装置を提供する。【解決手段】信号接続用接触導体１６の本体部１５が筒状体を成すものとして形成され、その本体部に筒状体の仮想中心軸を包囲する方向に伸びるスリット２１が設けられ、本体部がそれにおけるスリットが設けられていない部分である連結部分を介して連結されてスリットを挟んで配された基部２３と嵌合部２４とを有し、基部が絶縁基体１２に部分的に埋設されるとともに、嵌合部が少なくとも一つの切れ目を有した弾性環状部を形成して相手方コネクタの信号用導体３３に嵌合接触する。【選択図】図９
2015053188.tif 000002
【特許請求の範囲】
【請求項１】
相手方コネクタの信号用導体に接触接続される本体部と該本体部から伸びる信号用接続端子部とを有した信号接続用接触導体と、
該信号接続用接触導体の本体部の周囲に配されて上記相手方コネクタの接地用導体に接触接続される環状部と該環状部から伸びる接地用接続端子部とを有した接地接続用接触導体と、
上記信号接続用接触導体の信号用接続端子部及び上記接地接続用接触導体の接地用接続端子部の夫々が部分的に埋設されるもとで、上記信号接続用接触導体と上記接地接続用接触導体とを相互に絶縁された状態をもって保持する絶縁基体と、
を備えて成り、
上記信号接続用接触導体の本体部が筒状体を成すものとして形成され、該本体部に上記筒状体の仮想中心軸を包囲する方向に伸びるスリットが設けられ、上記本体部が該本体部における上記スリットが設けられていない部分である連結部分を介して連結されて上記スリットを挟んで配された基部と嵌合部とを有し、上記基部が上記絶縁基体に部分的に埋設されるとともに、上記嵌合部が少なくとも一つの切れ目を有した弾性環状部を形成して上記相手方コネクタの信号用導体に嵌合接触することを特徴とする同軸コネクタ装置。
【請求項２】
上記信号接続用接触導体における信号用接続端子部が、上記本体部における上記基部から伸びていることを特徴とする請求項１記載の同軸コネクタ装置。
【請求項３】
上記嵌合部が形成する上記弾性環状部が、上記筒状体の仮想中心軸に直交する面内において楕円状を成していることを特徴とする請求項１記載の同軸コネクタ装置。
【請求項４】
上記嵌合部が形成する上記弾性環状部の内面部に上記相手方コネクタの信号用導体に当接する接点部が設けられていることを特徴とする請求項１記載の同軸コネクタ装置。
【請求項５】
上記嵌合部が、該嵌合部と上記基部とを連結する上記連結部分から上記筒状体の仮想中心軸を包囲する方向において互いに逆向きに伸びる第１及び第２の湾曲腕状部を有して成り、該第１及び第２の湾曲腕状部の夫々の自由端部が相互に対向近接して上記切れ目を形成していることを特徴とする請求項１記載の同軸コネクタ装置。
【請求項６】
相互に対向近接する上記第１及び第２の湾曲腕状部の夫々の自由端部が、上記筒状体の仮想中心軸を挟んで上記連結部分に対向する位置に配されることを特徴とする請求項５記載の同軸コネクタ装置。
【請求項７】
上記嵌合部と上記基部とを連結する上記連結部分が、上記筒状体の仮想中心軸を包囲する方向に互いに分離された第１連結部分及び第２連結部分を成し、上記嵌合部が、上記第１連結部分から上記筒状体の仮想中心軸を包囲する方向において互いに逆向きに伸びる第１及び第２の湾曲腕状部と上記第２連結部分から上記筒状体の仮想中心軸を包囲する方向において互いに逆向きに伸びる第３及び第４の湾曲腕状部とを有して成り、上記第１及び第３の湾曲腕状部の夫々の自由端部が相互に対向近接して上記切れ目を形成しているとともに、上記第２及び第４の湾曲腕状部の夫々の自由端部が相互に対向近接して上記切れ目を形成していることを特徴とする請求項１記載の同軸コネクタ装置。
【請求項８】
上記第１連結部分及び第２連結部分が上記筒状体の仮想中心軸を挟んで相互対向する位置に配されていることを特徴とする請求項７記載の同軸コネクタ装置。
【請求項９】
相互に対向近接する上記第１及び第３の湾曲腕状部の夫々の自由端部と相互対向近接する上記第２及び第４の湾曲腕状部の夫々の自由端部とが、上記筒状体の仮想中心軸を挟んで相互対向する位置に配されることを特徴とする請求項８記載の同軸コネクタ装置。
【請求項１０】
上記嵌合部と上記基部とを連結する上記連結部分が、上記筒状体の仮想中心軸を包囲する方向に互いに分離された第１連結部分及び第２連結部分を成し、上記嵌合部が、上記第１連結部分から上記筒状体の仮想中心軸を包囲する方向に伸びる第１の湾曲腕状部と上記第２連結部分から上記筒状体の仮想中心軸を包囲する方向に伸びる第２の湾曲腕状部とを有して成り、上記第１の湾曲腕状部の自由端部が上記第２連結部分に対向近接して上記切れ目を形成しているとともに、上記第２の湾曲腕状部の自由端部が上記第１連結部分に対向近接して上記切れ目を形成していることを特徴とする請求項１記載の同軸コネクタ装置。
【請求項１１】
上記第１連結部分及び第２連結部分が上記筒状体の仮想中心軸を挟んで相互対向する位置に配されていることを特徴とする請求項１０記載の同軸コネクタ装置。
【請求項１２】
上記第１の湾曲腕状部の自由端部と上記第２の湾曲腕状部の自由端部とが、上記筒状体の仮想中心軸を挟んで相互対向する位置に配されることを特徴とする請求項１１記載の同軸コネクタ装置。
【発明の詳細な説明】
【技術分野】
【０００１】
本願の特許請求の範囲に記載された発明は、回路基板等に取り付けられて、当該回路基板等からその外部への、あるいは、当該回路基板等へのその外部からの電磁波シールドが必要とされる信号の伝達に供される同軸コネクタ装置に関する。
【背景技術】
【０００２】
回路基板に配された導体を流れる高周波信号は、当該回路基板からその外部へと伝送されるにあたり、あるいは、当該回路基板にその外部から伝送されるにあたり、外部からのノイズの混入防止，外部への漏洩防止等のため、電磁波シールドが必要である信号として扱われることが多い。このような、電磁波シールドが必要である信号についての、特定の回路基板からその外部、例えば、他の回路基板への伝送、あるいは、特定の回路基板へのその外部、例えば、他の回路基板からの伝送が行われるに際しては、当該特定の回路基板に取り付けられるものとされる同軸コネクタ装置が用いられる。
【０００３】
回路基板に取り付けられる同軸コネクタ装置は、通常、絶縁基体に、信号の伝達に供される信号接続用接触導体と、信号接続用接触導体に供給される信号に対する電磁波シールド作用をもたらすべく、信号接続用接触導体を包囲するものとされて接地電位を伝達する接地接続用接触導体と、が配されて構成される。そして、その使用に際しては、例えば、他の回路基板に取り付けられた他の同軸コネクタ装置である相手方コネクタと嵌合接続される状態におかれ、その信号接続用接触導体が、相手方コネクタにおける信号用導体に接触接続されるとともに、その接地接続用接触導体が、相手方コネクタにおける接地用導体に接触接続される。それにより、伝送されるにあたって電磁波シールドが必要とされる信号の回路基板間における伝送が、信号接続用接触導体を包囲する接地接続用接触導体による電磁波シールドが果たされるもとで行われる。
【０００４】
斯かる同軸コネクタ装置は、回路基板に取り付けられるにあたり、信号接続用接触導体が回路基板に設けられた信号端子に接続されるとともに、接地接続用接触導体が回路基板に設けられた接地端子に接続されるものとされる。そして、回路基板に設けられた信号端子に接続された信号接続用接触導体及び回路基板に設けられた接地端子に接続された接地接続用接触導体が相手方コネクタにおける信号用導体及び接地用導体に適正に接触接続された状態、取り分け、信号接続用接触導体が相手方コネクタにおける信号用導体に適正かつ確実に接触接続された状態が、安定に維持されることが要求される。
【０００５】
そこで、絶縁基体に信号接続用接触導体と信号接続用接触導体を包囲するものとされた接地接続用接触導体とが配されて構成される同軸コネクタ装置であって、信号接続用接触導体の構造に工夫を凝らすことにより、信号接続用接触導体の相手方コネクタにおける信号用導体に対する接触接続状態についての改良を図ろうとしたものが、従来提案されている（例えば、特許文献１参照。）。
【０００６】
特許文献１に示される従来提案されている同軸コネクタ装置（プラグコネクタ）は、相手方コネクタ（レセプタクルコネクタ(11)) における信号用導体（ピン状中心導体(12)) に接触接続される信号接続用接触導体（ソケット状中心導体(22)）と、その中央部分において信号接続用接触導体を保持して回路基板（第２基板(2))に配される絶縁基体（第２絶縁ハウジング(24)) と、円筒状に形成されて信号接続用接触導体を保持した絶縁基体をその外周を包囲して収容する接地接続用接触導体（第２筒状外側導体(23)) とを備えて構成されている。このようなもとで、信号接続用接触導体が金属管によって形成された先端部を有するものとされていて、信号接続用接触導体が相手方コネクタにおける信号用導体に接触接続される際には、当該先端部が相手方コネクタにおける信号用導体にそれが挿入される状態をもって嵌合する。
【０００７】
そして、信号接続用接触導体の先端部には、各々が当該先端部を形成する金属管の仮想中心軸線に平行に伸びる４個のスリット(27)が形成されている。これら４個のスリットは、当間隔をもって配されていて金属管の仮想中心軸線を取り囲んでおり、夫々の一端部は、金属管における仮想中心軸線方向の端縁部に達している。従って、信号接続用接触導体の先端部は、それに形成されて互いに平行に伸びる４個のスリットによって４分割されており、それにより各々が金属管の仮想中心軸線に平行に伸びる４個の分割片部を有したものとされている。
【０００８】
このように金属管により形成されて各々が金属管の仮想中心軸線に平行に伸びる４個のスリットが形成された信号接続用接触導体の先端部にあっては、４個の分割片部の夫々が金属管の仮想中心軸線に対して近接または離隔する方向に弾性変位可能とされている。それにより、信号接続用接触導体の先端部が相手方コネクタにおける信号用導体にそれが挿入される状態をもって嵌合したときには、信号接続用接触導体の先端部における４個の分割片部の夫々が、相手方コネクタにおける信号用導体に弾性押圧力を作用させる状態をもって当接する。その結果、信号接続用接触導体の先端部が相手方コネクタにおける信号用導体にそれが挿入される状態をもって嵌合することにより得られる、信号接続用接触導体が相手方コネクタにおける信号用導体に接触接続された状態が、確実かつ安定に維持されることが期待されることになる。
【先行技術文献】
【特許文献】
【０００９】
【特許文献１】特開２００９−１０４８３６号公報（段落００１９，００３６〜００３７, ００４４、図１〜３）
【発明の概要】
【発明が解決しようとする課題】
【００１０】
上述のような、相手方コネクタにおける信号用導体にそれが挿入される状態をもって嵌合する金属管により形成された信号接続用接触導体の先端部が、各々が金属管の仮想中心軸線に平行に伸びる４個の分割片部を有したものとされる、従来提案されている同軸コネクタ装置にあっては、信号接続用接触導体の先端部が相手方コネクタにおける信号用導体にそれが挿入される状態をもって嵌合することにより得られる、信号接続用接触導体が相手方コネクタにおける信号用導体に接触接続された状態が、確実かつ安定に維持されるようにするためには、信号接続用接触導体の先端部における４個の分割片部が相手方コネクタにおける信号用導体に及ぼす弾性押圧力を比較的大としなくてはならない。そして、４個の分割片部が相手方コネクタにおける信号用導体に及ぼす弾性押圧力を比較的大とするためには、４個の分割片部の夫々の信号接続用接触導体の先端部を形成する金属管の仮想中心軸線に沿う方向の長さ寸法を比較的大とすることが要される。
【００１１】
４個の分割片部の夫々の信号接続用接触導体の先端部を形成する金属管の仮想中心軸線に沿う方向の長さ寸法が比較的大とされることになると、信号接続用接触導体の絶縁基体からの突出長を抑えることができず、その結果、信号接続用接触導体と信号接続用接触導体を保持して回路基板に配される絶縁基体と絶縁基体をその外周を包囲して収容する接地接続用接触導体とを備えて構成される同軸コネクタ装置の厚み寸法を抑えて回路基板からの突出長をできるだけ小とする低背化を図ることが困難となってしまう。それにより、昨今の小型電子機器にあっては、回路基板のより一層の小型化及び基板搭載部品のより一層の高集積化に伴って、回路基板に配される同軸コネクタ装置の低背化が要求されているが、斯かる要求に応じられないという不都合がもたらされる虞がある。
【００１２】
斯かる点に鑑み、本願の特許請求の範囲に記載された発明は、相手方コネクタの信号用導体に接触接続される信号接続用接触導体と、信号接続用接触導体の周囲に配された部分を有して相手方コネクタの接地用導体に接触接続される接地接続用接触導体と、信号接続用接触導体と接地接続用接触導体とを相互に絶縁された状態をもって保持する絶縁基体とを備えて成り、信号接続用接触導体が相手方コネクタにおける信号用導体に適正かつ確実に接触接続された状態を安定に維持することができ、しかも、装置全体の厚み寸法をできるだけ小とする低背化を図ることができる同軸コネクタ装置を提供する。
【課題を解決するための手段】
【００１３】
本願の特許請求の範囲における請求項１から請求項１２までのいずれかに記載された発明（以下、本願発明という。）に係る同軸コネクタ装置は、相手方コネクタの信号用導体に接触接続される本体部と本体部から伸びる信号用接続端子部とを有した信号接続用接触導体と、信号接続用接触導体の本体部の周囲に配されて相手方コネクタの接地用導体に接触接続される環状部と環状部から伸びる接地用接続端子部とを有した接地接続用接触導体と、信号接続用接触導体の信号用接続端子部及び接地接続用接触導体の接地用接続端子部の夫々が部分的に埋設されるもとで、信号接続用接触導体と接地接続用接触導体とを相互に絶縁された状態をもって保持する絶縁基体とを備えて成り、信号接続用接触導体の本体部が筒状体を成すものとして形成され、その本体部に筒状体の仮想中心軸を包囲する方向に伸びるスリットが設けられ、本体部がそれにおけるスリットが設けられていない部分である連結部分を介して連結されてスリットを挟んで配された基部と嵌合部とを有し、基部が絶縁基体に部分的に埋設されるとともに、嵌合部が少なくとも一つの切れ目を有した弾性環状部を形成して相手方コネクタの信号用導体に嵌合接触する。
【００１４】
上述のように構成される本願発明に係る同軸コネクタ装置は、例えば、回路基板の面上に絶縁基体が配され、信号接続用接触導体の信号用接続端子部が回路基板に設けられた信号端子に接続されるとともに、接地接続用接触導体の接地用接続端子部が回路基板に設けられた接地端子に接続されて回路基板に取り付けられたもとで、他の同軸コネクタ装置である相手方コネクタとの嵌合接続がなされて使用される。そして、相手方コネクタとの嵌合接続がなされる際には、信号接続用接触導体の筒状体を成す本体部が相手方コネクタにおける信号用導体に接触接続されるとともに、接地接続用接触導体の環状部が相手方コネクタにおける接地用導体に嵌合して接触接続される。
【００１５】
信号接続用接触導体の筒状体を成す本体部が相手方コネクタにおける信号用導体に接触接続されるにあたっては、筒状体を成す本体部において、筒状体の仮想中心軸を包囲する方向に伸びるスリットにより、絶縁基体に部分的に埋設される基部から分離された嵌合部が、相手方コネクタにおける信号用導体にそれを包囲する状態をもって嵌合接触する。その際、嵌合部は少なくとも一つの切れ目を有した弾性環状部を形成しているので、相手方コネクタにおける信号用導体に嵌合接触したときには、その信号用導体にその周囲から弾性押圧力を作用させるもとで接触接続される。
【発明の効果】
【００１６】
上述の本願発明に係る同軸コネクタ装置にあっては、信号接続用接触導体の筒状体を成す本体部が相手方コネクタにおける信号用導体に適正かつ確実に接触接続された状態が安定に維持されるようにするためには、相手方コネクタにおける信号用導体にそれを包囲する状態をもって嵌合接触する本体部における嵌合部が相手方コネクタにおける信号用導体にその周囲から及ぼす弾性押圧力を比較的大なるものとなすことが要される。斯かるもとで、信号接続用接触導体の筒状体を成す本体部における嵌合部は、筒状体を成す本体部において筒状体の仮想中心軸を包囲する方向に伸びるスリットにより基部から分離されて成る少なくとも一つの切れ目を有した弾性環状部を形成しているので、例えば、弾性環状部の内径寸法を調整することにより、筒状体を成す本体部についての筒状体の仮想中心軸に沿う方向の寸法を増大させることなく、相手方コネクタにおける信号用導体に及ぼす弾性押圧力を比較的大となすことができるものとされる。
【００１７】
信号接続用接触導体の筒状体を成す本体部についての筒状体の仮想中心軸に沿う方向の寸法は、信号接続用接触導体の絶縁基体からの突出長を定めるものとなり、それゆえ、斯かる寸法によって同軸コネクタ装置全体の厚み寸法が定められる。従って、本願発明に係る同軸コネクタ装置によれば、信号接続用接触導体の筒状体を成す本体部に、それについての筒状体の仮想中心軸に沿う方向の寸法を増大させることなく、相手方コネクタにおける信号用導体に及ぼす弾性押圧力を比較的大となすことができる嵌合部が設けられることにより、信号接続用接触導体が相手方コネクタにおける信号用導体に適正かつ確実に接触接続された状態を安定に維持することができ、しかも、装置全体の厚み寸法をできるだけ小とする低背化を図ることができることになる。
【図面の簡単な説明】
【００１８】
【図１】本願発明に係る同軸コネクタ装置の一例を示す斜視図である。
【図２】本願発明に係る同軸コネクタ装置の一例を示す平面図である。
【図３】図２における III−III 線断面を示す断面図である。
【図４】本願発明に係る同軸コネクタ装置の一例に備えられる信号接続用接触導体の第１の例を示す背面側から観た斜視図である。
【図５】本願発明に係る同軸コネクタ装置の一例に備えられる信号接続用接触導体の第１の例を示す正面側から観た斜視図である。
【図６】本願発明に係る同軸コネクタ装置の一例に備えられる信号接続用接触導体の第１の例を示す正面図である。
【図７】本願発明に係る同軸コネクタ装置の一例に備えられる信号接続用接触導体の第１の例を示す平面図である。
【図８】本願発明に係る同軸コネクタ装置の一例に備えられる信号接続用接触導体の第１の例を示す背面図である。
【図９】本願発明に係る同軸コネクタ装置の一例が相手方コネクタに嵌合接続された状態を示す、図２における III−III 線断面を含んだ断面図である。
【図１０】本願発明に係る同軸コネクタ装置の一例が相手方コネクタに嵌合接続された状態を示す、図２における X−X 線断面を含んだ断面図である。
【図１１】本願発明に係る同軸コネクタ装置の一例に備えられる信号接続用接触導体の第２の例を示す背面側から観た斜視図である。
【図１２】本願発明に係る同軸コネクタ装置の一例に備えられる信号接続用接触導体の第２の例を示す正面側から観た斜視図である。
【図１３】本願発明に係る同軸コネクタ装置の一例に備えられる信号接続用接触導体の第２の例を示す正面図である。
【図１４】本願発明に係る同軸コネクタ装置の一例に備えられる信号接続用接触導体の第２の例を示す平面図である。
【図１５】本願発明に係る同軸コネクタ装置の一例に備えられる信号接続用接触導体の第２の例を示す背面図である。
【図１６】本願発明に係る同軸コネクタ装置の一例に備えられる信号接続用接触導体の第３の例を示す背面側から観た斜視図である。
【図１７】本願発明に係る同軸コネクタ装置の一例に備えられる信号接続用接触導体の第３の例を示す正面側から観た斜視図である。
【図１８】本願発明に係る同軸コネクタ装置の一例に備えられる信号接続用接触導体の第３の例を示す正面図である。
【図１９】本願発明に係る同軸コネクタ装置の一例に備えられる信号接続用接触導体の第３の例を示す平面図である。
【図２０】本願発明に係る同軸コネクタ装置の一例に備えられる信号接続用接触導体の第３の例を示す背面図である。
【発明を実施するための形態】
【００１９】
本願発明を実施するための形態は、以下に述べられる本願発明についての実施例をもって説明される。
【実施例】
【００２０】
図１（斜視図）及び図２（平面図）は、本願発明に係る同軸コネクタ装置の一例を示す。
【００２１】
図１及び図２において、本願発明に係る同軸コネクタ装置の一例を成す同軸コネクタ装置１１は、回路基板に取り付けられたもとで他の同軸コネクタ装置である相手方コネクタとの嵌合接続がなされて使用されるものとされる。そして、同軸コネクタ装置１１は、例えば、合成樹脂材により形成されて、同軸コネクタ装置１１が取り付けられる回路基板（図示省略）の面上に配されるものとされる絶縁基体１２を備えている。絶縁基体１２は、図２における III−III 線断面を示す図３にも示されるように、平板状部１３と平板状部１３の中央部分に設けられた全体として円筒状を成す環状突出部１４とを有したものとされている。
【００２２】
また、同軸コネクタ装置１１は、絶縁基体１２の環状突出部１４の内側に配されて相手方コネクタの信号用導体に接触接続される本体部１５を有した信号接続用接触導体１６と、信号接続用接触導体１６の本体部１５を包囲する絶縁基体１２の環状突出部１４の周囲に配されて相手方コネクタの接地用導体に接触接続される環状部１７を有した接地接続用接触導体１８とを備えている。これらの信号接続用接触導体１６及び接地接続用接触導体１８は、絶縁基体１２により相互に絶縁された状態をもって保持されている。
【００２３】
接地接続用接触導体１８は、例えば、合金板材とされる弾性を有した導電材料により形成され、図３にも示されるように、環状部１７に加えて、各々が環状部１７の一端部から伸びて絶縁基体１２の平板状部１３からその外部へと導出されるものとされた複数の接地用接続端子部１９を有している。そして、そこから複数の接地用接続端子部１９が伸びる環状部１７の一端部及び複数の接地用接続端子部１９の夫々の部分が、絶縁基体１２の平板状部１３に埋設されている。複数の接地用接続端子部１９の夫々は、絶縁基体１２が配された回路基板における接地端子に接続される。
【００２４】
また、信号接続用接触導体１６は、例えば、接地接続用接触導体１８と同様に合金板材とされる弾性を有した導電材料により形成され、図４（斜視図），図５（斜視図），図６（正面図），図７（平面図）及び図８（背面図）に示されるように、本体部１５に加えて本体部１５の一端部から伸びる信号用接続端子部２０を有している。信号接続用接触導体１６の本体部１５は全体として筒状体を成すものとして形成されており、斯かる本体部１５には、それが成す筒状体の仮想中心軸を包囲する方向に伸びるスリット２１が設けられている。それにより、本体部１５は、それにおけるスリット２１が設けられていない部分である連結部分２２を介して連結されて、スリット２１を挟んで配された基部２３と嵌合部２４とを有したものとされている。
【００２５】
本体部１５における基部２３は、それから信号用接続端子部２０が伸びる本体部１５の一端部を含むものとされている。従って、信号用接続端子部２０は、本体部１５における基部２３から伸びていることになる。
【００２６】
本体部１５における嵌合部２４は、一つの切れ目２５を有した弾性環状部を形成している。嵌合部２４が形成する弾性環状部は、本体部１５が成す筒状体の仮想中心軸に直交する面内において円環状もしくは楕円状を成すものとされており、その内面部には、相手方コネクタの信号用導体に当接する状態をとる複数の接点部２６が設けられている。
【００２７】
また、本体部１５における嵌合部２４は、基部２３と嵌合部２４とを連結する連結部分２２から、本体部１５が成す筒状体の仮想中心軸を包囲する方向において互いに逆向きに伸びる、第１の湾曲腕状部２７及び第２の湾曲腕状部２８を有して構成されている。そして、第１の湾曲腕状部２７及び第２の湾曲腕状部２８は、各々の自由端部を相互に対向近接させていて、相互に対向近接する第１の湾曲腕状部２７及び第２の湾曲腕状部２８の夫々の自由端部間に、本体部１５における嵌合部２４が成す弾性環状部における切れ目２５が形成されている。
【００２８】
相互に対向近接する第１の湾曲腕状部２７及び第２の湾曲腕状部２８の夫々の自由端部は、本体部１５が成す筒状体の仮想中心軸を挟んで連結部分２２に対向する位置に配されている。従って、本体部１５における嵌合部２４が成す弾性環状部における切れ目２５が、本体部１５が成す筒状体の仮想中心軸を挟んで連結部分２２に対向する位置に配されていることになる。
【００２９】
上述のような信号接続用接触導体１６が絶縁基体１２により接地接続用接触導体１８と共に保持されたもとにあっては、本体部１５における基部２３及びそれから伸びる信号用接続端子部２０が部分的に絶縁基体１２の平板状部１３に埋設される。そして、信号用接続端子部２０は、図２に示されるように、その一端部が絶縁基体１２の平板状部１３からその外部に導出されて、絶縁基体１２が配された回路基板における信号端子に接続される。また、本体部１５における嵌合部２４が、絶縁基体１２の環状突出部１４の内側において絶縁基体１２の平板状部１３から突出して、それが形成する弾性環状部内に相手方コネクタにおける信号用導体が挿入される状態をもって相手方コネクタにおける信号用導体に嵌合接触し、弾性環状部の内面部に設けられた複数の接点部２６を相手方コネクタの信号用導体に当接させる。それにより、信号接続用接触導体１６が相手方コネクタの信号用導体に接触接続された状態が得られる。
【００３０】
上述の同軸コネクタ装置１１が相手方コネクタとの嵌合接続状態におかれる際には、絶縁基体１２における環状突出部１４の環状端縁部，絶縁基体１２により保持された信号接続用接触導体１６の本体部１５の環状端縁部、及び、絶縁基体１２により保持された接地接続用接触導体１８の環状部１７の環状端縁部が相手方コネクタに対向するものとなるように配置された同軸コネクタ装置１１が、相手方コネクタに近接せしめられる。斯かる際における相手方コネクタは、例えば、図２におけるIII-III 線断面を含む図９及び図２におけるX-X 線断面を含む図１０に示される相手方コネクタ３１とされる。
【００３１】
図９及び図１０に示される相手方コネクタ３１は、例えば、合成樹脂材により形成されて、相手方コネクタ３１が取り付けられる回路基板（図示省略）の面上に配されるものとされる絶縁基体３２と、絶縁基体３２の中央部分に円柱状の外観を有するものとして立設された信号用導体３３と、信号用導体３３を包囲する環状体を成すものとして絶縁基体３２により保持された接地用導体３４とを備えている。信号用導体３３は、絶縁基体３２が配された回路基板における信号端子に接続され、また、接地用導体３４は、絶縁基体３２が配された回路基板における接地端子に接続されている。
【００３２】
そして、同軸コネクタ装置１１が相手方コネクタ３１との嵌合接続状態におかれたもとにあっては、図９及び図１０に示されるように、同軸コネクタ装置１１における信号接続用接触導体１６の本体部１５における弾性環状部を形成する嵌合部２４が、相手方コネクタ３１の信号用導体３３に、それが弾性環状部の内側に挿入される状態をもって、嵌合接触し、また、同軸コネクタ装置１１における接地接続用接触導体１８の環状部１７が、相手方コネクタ３１の接地用導体３４に嵌合接触する。信号接続用接触導体１６の本体部１５における弾性環状部を形成する嵌合部２４が相手方コネクタ３１の信号用導体３３に嵌合接触する際には、嵌合部２４が形成する弾性環状部の内面部に設けられた複数の接点２６が相手方コネクタ３１の信号用導体３３の外面部に当接する状態におかれ、一つの切れ目２５を有した弾性環状部を形成する嵌合部２４を構成する第１の湾曲腕状部２７及び第２の湾曲腕状部２８が、相手方コネクタ３１の信号用導体３３にその周囲から比較的大なる弾性押圧力を作用させる。それにより、信号接続用接触導体１６が相手方コネクタ３１の信号用導体３３に、それにその周囲から比較的大なる弾性押圧力を作用させる状態をもって接触接続されることになり、それによって、同軸コネクタ装置１１における信号接続用接触導体１６が相手方コネクタ３１における信号用導体３３に適正かつ確実に接触接続された状態が安定に維持される。
【００３３】
図１１（斜視図），図１２（斜視図），図１３（正面図），図１４（平面図）及び図１５（背面図）は、図１及び図２に示される同軸コネクタ装置１１において、信号接続用接触導体１６に替えて備えられ得る別の信号接続用接触導体の一例を成す信号接続用接触導体３６を示す。
【００３４】
図１１〜図１５に示される信号接続用接触導体３６は、例えば、合金板材とされる弾性を有した導電材料により形成され、前述の信号接続用接触導体１６における本体部１５に相当する本体部３７と本体部３７の一端部から伸びる信号用接続端子部３８とを有している。本体部３７は全体として筒状体を成すものとして形成されており、斯かる本体部３７には、各々が本体部３７が成す筒状体の仮想中心軸を包囲する方向に伸びる一対のスリット３９が設けられている。それにより、本体部３７は、それにおけるスリット３９が設けられていない部分である第１連結部分４０及び第２連結部分４１を介して連結されて、一対のスリット３９を挟んで配された基部４２と嵌合部４３とを有したものとされている。本体部３７における第１連結部分４０及び第２連結部分４１は、本体部３７が成す筒状体の仮想中心軸を挟んで相互対向する位置に配されている。
【００３５】
本体部３７における基部４２は、それから信号用接続端子部３８が伸びる本体部３７の一端部を含むものとされている。従って、信号用接続端子部３８は、本体部３７における基部４２から伸びていることになる。
【００３６】
本体部３７における嵌合部４３は、第１の切れ目４４及び第２の切れ目４５を有した弾性環状部を形成している。嵌合部４３が形成する弾性環状部は、本体部３７が成す筒状体の仮想中心軸に直交する面内において円環状もしくは楕円状を成すものとされており、その内面部には、相手方コネクタの信号用導体に当接する状態をとる複数の接点部４６が設けられている。
【００３７】
また、本体部３７における嵌合部４３は、基部４２と嵌合部４３とを連結する第１連結部分４０から、本体部３７が成す筒状体の仮想中心軸を包囲する方向において互いに逆向きに伸びる、第１の湾曲腕状部４７及び第２の湾曲腕状部４８と、基部４２と嵌合部４３とを連結する第２連結部分４１から、本体部３７が成す筒状体の仮想中心軸を包囲する方向において互いに逆向きに伸びる、第３の湾曲腕状部４９及び第４の湾曲腕状部５０とを有して構成されている。そして、第１の湾曲腕状部４７及び第３の湾曲腕状部４９は、各々の自由端部を相互に対向近接させていて、相互に対向近接する第１の湾曲腕状部４７及び第３の湾曲腕状部４９の夫々の自由端部間に、本体部３７における嵌合部４３が成す弾性環状部における第１の切れ目４４が形成されている。また、第２の湾曲腕状部４８及び第４の湾曲腕状部５０も、各々の自由端部を相互に対向近接させていて、相互に対向近接する第２の湾曲腕状部４８及び第４の湾曲腕状部５０の夫々の自由端部間に、本体部３７における嵌合部４３が成す弾性環状部における第２の切れ目４５が形成されている。
【００３８】
相互に対向近接する第１の湾曲腕状部４７及び第３の湾曲腕状部４９の夫々の自由端部と相互に対向近接する第２の湾曲腕状部４８及び第４の湾曲腕状部５０の夫々の自由端部とは、本体部３７が成す筒状体の仮想中心軸を挟んで相互対向する位置に配されている。従って、本体部３７における嵌合部４３が成す弾性環状部における第１の切れ目４４と第２の切れ目４５とが、本体部３７が成す筒状体の仮想中心軸を挟んで相互対向する位置に配されていることになる。
【００３９】
上述のような信号接続用接触導体３６が、前述の信号接続用接触導体１６に替わるものとして、同軸コネクタ装置１１における絶縁基体１２により接地接続用接触導体１８と共に保持されたときには、本体部３７における基部４２及びそれから伸びる信号用接続端子部３８が部分的に絶縁基体１２の平板状部１３に埋設される。そして、信号用接続端子部３８は、その一端部が絶縁基体１２の平板状部１３からその外部に導出されて、絶縁基体１２が配された回路基板における信号端子に接続される。また、本体部３７における嵌合部４３が、絶縁基体１２の環状突出部１４の内側において絶縁基体１２の平板状部１３から突出して、それが形成する弾性環状部内に相手方コネクタにおける信号用導体が挿入される状態をもって相手方コネクタにおける信号用導体に嵌合接触し、弾性環状部の内面部に設けられた複数の接点部４６を相手方コネクタの信号用導体に当接させる。それにより、信号接続用接触導体３６が相手方コネクタの信号用導体に接触接続された状態が得られる。
【００４０】
このような信号接続用接触導体３６が信号接続用接触導体１６に替えて備えられた同軸コネクタ装置１１が相手方コネクタとの嵌合接続状態におかれたもとにあっては、同軸コネクタ装置１１における信号接続用接触導体３６の本体部３７における弾性環状部を形成する嵌合部４３が、相手方コネクタの信号用導体に、それが弾性環状部の内側に挿入される状態をもって嵌合接触し、また、同軸コネクタ装置１１における接地接続用接触導体１８の環状部が、相手方コネクタの接地用導体に嵌合接触する。信号接続用接触導体３６の本体部３７における弾性環状部を形成する嵌合部４３が相手方コネクタの信号用導体に嵌合接触する際には、嵌合部４３が形成する弾性環状部の内面部に設けられた複数の接点４６が相手方コネクタの信号用導体の外面部に当接する状態におかれ、第１の切れ目４４及び第２の切れ目４５を有した弾性環状部を形成する嵌合部４３を構成する第１の湾曲腕状部４７，第２の湾曲腕状部４８，第３の湾曲腕状部４９及び第４の湾曲腕状部５０が、相手方コネクタの信号用導体にその周囲から比較的大なる弾性押圧力を作用させる。それにより、信号接続用接触導体３６が相手方コネクタの信号用導体に、それにその周囲から比較的大なる弾性押圧力を作用させる状態をもって接触接続されることになり、それによって、同軸コネクタ装置１１における信号接続用接触導体３６が相手方コネクタにおける信号用導体に適正かつ確実に接触接続された状態が安定に維持される。
【００４１】
図１６（斜視図），図１７（斜視図），図１８（正面図），図１９（平面図）及び図２０（背面図）は、図１及び図２に示される同軸コネクタ装置１１において、信号接続用接触導体１６に替えて備えられ得る別の信号接続用接触導体の他の例を成す信号接続用接触導体５６を示す。
【００４２】
図１６〜図２０に示される信号接続用接触導体５６は、例えば、合金板材とされる弾性を有した導電材料により形成され、前述の信号接続用接触導体１６における本体部１５に相当する本体部５７と本体部５７の一端部から伸びる信号用接続端子部５８とを有している。本体部５７は全体として筒状体を成すものとして形成されており、斯かる本体部５７には、各々が本体部５７が成す筒状体の仮想中心軸を包囲する方向に伸びる一対のスリット５９が設けられている。それにより、本体部５７は、それにおけるスリット５９が設けられていない部分である第１連結部分６０及び第２連結部分６１を介して連結されて、一対のスリット５９を挟んで配された基部６２と嵌合部６３とを有したものとされている。本体部５７における第１連結部分６０及び第２連結部分６１は、本体部５７が成す筒状体の仮想中心軸を挟んで相互対向する位置に配されている。
【００４３】
本体部５７における基部６２は、それから信号用接続端子部５８が伸びる本体部５７の一端部を含むものとされている。従って、信号用接続端子部５８は、本体部５７における基部６２から伸びていることになる。
【００４４】
本体部５７における嵌合部６３は、第１の切れ目６４及び第２の切れ目６５を有した弾性環状部を形成している。嵌合部６３が形成する弾性環状部は、本体部５７が成す筒状体の仮想中心軸に直交する面内において円環状もしくは楕円状を成すものとされており、その内面部には、相手方コネクタの信号用導体に当接する状態をとる複数の接点部６６が設けられている。
【００４５】
また、本体部５７における嵌合部６３は、基部６２と嵌合部６３とを連結する第１連結部分６０から、本体部５７が成す筒状体の仮想中心軸を包囲する方向に伸びる第１の湾曲腕状部６７と、基部６２と嵌合部６３とを連結する第２連結部分６１から、本体部５７が成す筒状体の仮想中心軸を包囲する方向に伸びる第２の湾曲腕状部６８とを有して構成されている。そして、第１の湾曲腕状部６７の自由端部が第２連結部分６１に対向近接していて、第１の湾曲腕状部６７の自由端部と第２連結部分６１との間に第２の切れ目６５が形成されており、また、第２の湾曲腕状部６８の自由端部が第１連結部分６０に対向近接していて、第２の湾曲腕状部６８の自由端部と第１連結部分６０との間に第１の切れ目６４が形成されている。
【００４６】
第１の湾曲腕状部６７の自由端部と第２の湾曲腕状部６８の自由端部とは、本体部５７が成す筒状体の仮想中心軸を挟んで相互対向する位置に配されている。従って、本体部５７における嵌合部６３が成す弾性環状部における第１の切れ目６４と第２の切れ目６５とが、本体部５７が成す筒状体の仮想中心軸を挟んで相互対向する位置に配されていることになる。
【００４７】
上述のような信号接続用接触導体５６が、前述の信号接続用接触導体１６に替わるものとして、同軸コネクタ装置１１における絶縁基体１２により接地接続用接触導体１８と共に保持されたときには、本体部５７における基部６２及びそれから伸びる信号用接続端子部５８が部分的に絶縁基体１２の平板状部１３に埋設される。そして、信号用接続端子部５８は、その一端部が絶縁基体１２の平板状部１３からその外部に導出されて、絶縁基体１２が配された回路基板における信号端子に接続される。また、本体部５７における嵌合部６３が、絶縁基体１２の環状突出部１４の内側において絶縁基体１２の平板状部１３から突出して、それが形成する弾性環状部内に相手方コネクタにおける信号用導体が挿入される状態をもって相手方コネクタにおける信号用導体に嵌合接触し、弾性環状部の内面部に設けられた複数の接点部６６を相手方コネクタの信号用導体に当接させる。それにより、信号接続用接触導体５６が相手方コネクタの信号用導体に接触接続された状態が得られる。
【００４８】
このような信号接続用接触導体５６が信号接続用接触導体１６に替えて備えられた同軸コネクタ装置１１が相手方コネクタとの嵌合接続状態におかれたもとにあっては、同軸コネクタ装置１１における信号接続用接触導体５６の本体部５７における弾性環状部を形成する嵌合部６３が、相手方コネクタの信号用導体に、それが弾性環状部の内側に挿入される状態をもって嵌合接触し、また、同軸コネクタ装置１１における接地接続用接触導体１８の環状部が、相手方コネクタの接地用導体に嵌合接触する。信号接続用接触導体５６の本体部５７における弾性環状部を形成する嵌合部６３が相手方コネクタの信号用導体に嵌合接触する際には、嵌合部６３が形成する弾性環状部の内面部に設けられた複数の接点６６が相手方コネクタの信号用導体の外面部に当接する状態におかれ、第１の切れ目６４及び第２の切れ目６５を有した弾性環状部を形成する嵌合部６３を構成する第１の湾曲腕状部６７及び第２の湾曲腕状部６８が、相手方コネクタの信号用導体にその周囲から比較的大なる弾性押圧力を作用させる。それにより、信号接続用接触導体５６が相手方コネクタの信号用導体に、それにその周囲から比較的大なる弾性押圧力を作用させる状態をもって接触接続されることになり、それによって、同軸コネクタ装置１１における信号接続用接触導体５６が相手方コネクタにおける信号用導体に適正かつ確実に接触接続された状態が安定に維持される。
【００４９】
上述の本願発明に係る同軸コネクタ装置の一例をなす同軸コネクタ装置１１にあっては、信号接続用接触導体１６，３６または５６の筒状体を成す本体部１５，３７または５７が相手方コネクタにおける信号用導体に適正かつ確実に接触接続された状態が安定に維持されるようにするためには、相手方コネクタにおける信号用導体にそれを包囲する状態をもって嵌合接触する本体部１５，３７または５７における嵌合部２４，４３または６３が相手方コネクタにおける信号用導体にその周囲から及ぼす弾性押圧力を比較的大なるものとなすことが要される。斯かるもとで、信号接続用接触導体１６，３６または５６の筒状体を成す本体部１５，３７または５７における嵌合部２４，４３または６３は、筒状体を成す本体部１５，３７または５７において筒状体の仮想中心軸を包囲する方向に伸びるスリット２１，３９または５９により基部２３，４２または６２から分離されて成る少なくとも一つの切れ目２５，４４，４５，６４または６５を有した弾性環状部を形成しているので、例えば、弾性環状部の内径寸法を調整することにより、筒状体を成す本体部１５，３７または５７についての筒状体の仮想中心軸に沿う方向の寸法を増大させることなく、相手方コネクタにおける信号用導体に及ぼす弾性押圧力を比較的大となすことができるものとされる。
【００５０】
信号接続用接触導体１６，３６または５６の筒状体を成す本体部１５，３７または５７についての筒状体の仮想中心軸に沿う方向の寸法は、信号接続用接触導体１６，３６または５６の絶縁基体１２からの突出長を定めるものとなり、それゆえ、斯かる寸法によって同軸コネクタ装置１１全体の厚み寸法が定められる。従って、同軸コネクタ装置１１によれば、信号接続用接触導体１６，３６または５６の筒状体を成す本体部１５，３７または５７に、それについての筒状体の仮想中心軸に沿う方向の寸法を増大させることなく、相手方コネクタにおける信号用導体に及ぼす弾性押圧力を比較的大となすことができる嵌合部２４，４３または６３が設けられることにより、信号接続用接触導体１６，３６または５６が相手方コネクタにおける信号用導体に適正かつ確実に接触接続された状態を安定に維持することができ、しかも、装置全体の厚み寸法をできるだけ小とする低背化を図ることができることになる。
【産業上の利用可能性】
【００５１】
以上のような本願発明に係る同軸コネクタ装置は、相手方コネクタの信号用導体に接触接続される信号接続用接触導体と、信号接続用接触導体の周囲に配された部分を有して相手方コネクタの接地用導体に接触接続される接地接続用接触導体と、信号接続用接触導体と接地接続用接触導体とを相互に絶縁された状態をもって保持する絶縁基体とを備えて成り、信号接続用接触導体が相手方コネクタにおける信号用導体に適正かつ確実に接触接続された状態を安定に維持することができ、しかも、装置全体の厚み寸法をできるだけ小とする低背化を図ることができるものとして、様々な電子機器等に広く適用され得るものである。
【符号の説明】
【００５２】
１１・・・同軸コネクタ装置，  １２，３２・・・絶縁基体，  １３・・・平板状部，  １４・・・環状突出部，  １５，３７，５７・・・本体部，  １６，３６，５６・・・信号接続用接触導体，  １７・・・環状部，  １８・・・接地接続用接触導体,   １９・・・接地用接続端子部，  ２０，３８，５８・・・信号用接続端子部，  ２１，３９，５９・・・スリット,   ２２・・・連結部分，  ２３，４２，６２・・・基部，  ２４，４３，６３・・・嵌合部，  ２５・・・切れ目,   ２６，４６，６６・・・接点部，  ２７，４７，６７・・・第１の湾曲腕状部，  ２８，４８，６８・・・第２の湾曲腕状部，  ４０，６０・・・第１連結部分，  ４１，６１・・・第２連結部分，  ４４，６４・・・第１の切れ目，  ４５，６５・・・第２の切れ目，  ４９・・・第３の湾曲腕状部，  ５０・・・第４の湾曲腕状部
【図１】
2015053188.tif 000003
【図２】
2015053188.tif 000004
【図３】
2015053188.tif 000005
【図４】
2015053188.tif 000006
【図５】
2015053188.tif 000007
【図６】
2015053188.tif 000008
【図７】
2015053188.tif 000009
【図８】
2015053188.tif 000010
【図９】
2015053188.tif 000011
【図１０】
2015053188.tif 000012
【図１１】
2015053188.tif 000013
【図１２】
2015053188.tif 000014
【図１３】
2015053188.tif 000015
【図１４】
2015053188.tif 000016
【図１５】
2015053188.tif 000017
【図１６】
2015053188.tif 000018
【図１７】
2015053188.tif 000019
【図１８】
2015053188.tif 000020
【図１９】
2015053188.tif 000021
【図２０】
2015053188.tif 000022